(57)【特許請求の範囲】
【請求項１】
画像形成部により画像形成された用紙を、異なる位置に設置された排紙部のいずれかに排出するため搬送路を切り替える切替爪を備えた画像出力装置において、前記切替爪を前記切替のために変位させる操作部材と、この操作部材と前記切替爪間に、前記操作部材の動きに遅れて前記切替爪を動作させる作動部材を設置し、この作動部材を、前記切替爪を動作させる回動レバーと、この回動レバーを回動させるスライド部材と、前記操作部材に設けられて前記スライド部材を移動させる偏心カムとから構成したことを特徴とする画像出力装置。
【請求項２】
上部に原稿画像を読み取る画像読取部が配設され、この画像読取部の下方に画像形成を行う画像形成部が配設され、この画像形成部により画像形成された用紙を、異なる位置に設置された排紙部のいずれかに排出するため搬送路を切り替える切替爪を備え、この切替爪を前記画像読取部に設けられた原稿トレイを移動させることによって前記切替のために変位させる構成の画像出力装置において、前記原稿トレイと前記切替爪間に、前記原稿トレイの動きに遅れて前記切替爪を動作させる作動部材を設置し、この作動部材を、前記切替爪を動作させる回動レバーと、この回動レバーを回動させるスライド部材と、前記原稿トレイに設けられて前記スライド部材を移動させる偏心カムとから構成したことを特徴とする画像出力装置。
【請求項３】
上部に原稿画像を読み取る画像読取部が配設され、この画像読取部の下方に画像形成を行う画像形成部が配設され、この画像形成部により画像形成された用紙を、異なる位置に設置された排紙部のいずれかに排出するため搬送路を切り替える切替爪を備え、この切替爪を前記画像読取部に設けられた原稿トレイを移動させることによって前記切替のために変位させる構成の画像出力装置において、前記原稿トレイと前記切替爪間に、前記原稿トレイの動きに遅れて前記切替爪を動作させる作動部材を設置し、この作動部材を、前記原稿トレイにおける移動時に、当該原稿トレイが前記画像読取部に設けられた操作用パネルにおける表示面を見ることができる位置まで移動するまでは前記切替爪を変位させず、さらに前記原稿トレイを移動させたときに前記切替爪を変位させるように構成したことを特徴とする画像出力装置。
【発明の詳細な説明】
【０００１】
【発明の属する技術分野】
本発明は、画像データに基づいて用紙に画像を形成する画像形成部を備えた画像出力装置に係り、特に画像形成された用紙の排紙通路を切り替えるための切替構成に関するものである。
【０００２】
【従来の技術】
プリンタ，複写機，ファクシミリ装置などの画像出力装置において、画像形成済みの用紙の排紙構造として、画像形成済みの用紙を略水平方向に排紙するストレート排紙構造、あるいは画像形成済みの用紙を上方へ方向変換してストッカなどに排紙する反転排紙構造が採用されており、また両排紙構造を切り替えることができるようにした構成のものもある。
【０００３】
ストレート排紙構造は、ハガキなどのように厚くて曲がりにくい用紙を用いる場合に有利であり、また反転排紙構造は、装置内の適所に設置することが可能であるため、ストレート排紙構造に比して設置スペースを小さくすることができ、しかも片面に画像形成した用紙を、その画像形成面を下にして頁の若い順に積み重ねて排紙することになるため、後処理作業においてページを揃える必要がないという利点がある。
【０００４】
そこで、前記両排紙構造を備え、用紙の種類により、あるいは排出状態に応じて、排紙構造を適宜選択して切り替えることが可能な構成にすれば、利便性が向上するが、装置の大型化、あるいは排紙通路が複雑化したことによる排紙用紙のジャム発生などの問題がある。
【０００５】
特開平１１−２４３３５号公報には、前記問題を解決するため、ストレート排紙路と反転排紙路との分岐点に、排紙用紙をいずれかの排紙路に選択的に導くための切替爪を変位可能に設け、原稿をセットする原稿トレイを利用して、この原稿トレイを移動させることによって切替爪を変位させる構成の画像出力装置が記載されている。
【０００６】
【発明が解決しようとする課題】
しかしながら、特開平１１−２４３３５号公報に記載された画像出力装置の構成では、用紙排紙動作中に原稿トレイが多少でも動くと、原稿トレイと連動して切替爪が作動するため、排紙途中にある用紙が切替爪と搬送ガイド板との間に挟まり、ジャムが発生するおそれがあるという問題がある。
【０００７】
本発明の目的は、前記従来の問題を解決し、切替爪によって排紙搬送路を切り替える構成において、切替爪を操作する部材の不用意な作動による切替爪部分におけるジャムの発生を防止した画像出力装置を提供することにある。
【０００８】
【課題を解決するための手段】
前記目的を達成するため、本発明は、画像形成部により画像形成された用紙を、異なる位置に設置された排紙部のいずれかに排出するため搬送路を切り替える切替爪を備えた画像出力装置において、前記切替爪を前記切替のために変位させる操作部材と、この操作部材と前記切替爪間に、前記操作部材の動きに遅れて前記切替爪を動作させる作動部材を設置し、この作動部材を、前記切替爪を動作させる回動レバーと、この回動レバーを回動させるスライド部材と、前記操作部材に設けられて前記スライド部材を移動させる偏心カムとから構成したものであり、この構成によって、操作部材の動作と切替爪の動作とに時間差を持たせることができ、このため操作部材が操作ミスによって急な戻し動作などを生じても、切替爪は即座に動作しないため、搬送途中の用紙が切替爪設置部分においてジャムするなどの不具合の発生を防ぐことができる。
【００１０】
また本発明は、上部に原稿画像を読み取る画像読取部が配設され、この画像読取部の下方に画像形成を行う画像形成部が配設され、この画像形成部により画像形成された用紙を、異なる位置に設置された排紙部のいずれかに排出するため搬送路を切り替える切替爪を備え、この切替爪を前記画像読取部に設けられた原稿トレイを移動させることによって前記切替のために変位させる構成の画像出力装置において、前記原稿トレイと前記切替爪間に、前記原稿トレイの動きに遅れて前記切替爪を動作させる作動部材を設置し、この作動部材を、前記切替爪を動作させる回動レバーと、この回動レバーを回動させるスライド部材と、前記原稿トレイに設けられて前記スライド部材を移動させる偏心カムとから構成したものであり、この構成によって、原稿トレイの動作と切替爪の動作とに時間差を持たせることができ、このため原稿トレイが操作ミスによって急な戻し動作などを生じても、切替爪は即座に動作しないため、搬送途中の用紙が切替爪設置部分においてジャムするなどの不具合の発生を防ぐことができる。
【００１２】
また本発明は、上部に原稿画像を読み取る画像読取部が配設され、この画像読取部の下方に画像形成を行う画像形成部が配設され、この画像形成部により画像形成された用紙を、異なる位置に設置された排紙部のいずれかに排出するため搬送路を切り替える切替爪を備え、この切替爪を前記画像読取部に設けられた原稿トレイを移動させることによって前記切替のために変位させる構成の画像出力装置において、前記原稿トレイと前記切替爪間に、前記原稿トレイの動きに遅れて前記切替爪を動作させる作動部材を設置し、この作動部材を、前記原稿トレイにおける移動時に、当該原稿トレイが前記画像読取部に設けられた操作用パネルにおける表示面を見ることができる位置まで移動するまでは前記切替爪を変位させず、さらに前記原稿トレイを移動させたときに前記切替爪を変位させるように構成したものであり、この構成によって、ユーザが操作用パネルの表示面を見るために原稿トレイを急に戻しても切替爪を変位しないため、前記と同様に、搬送途中の用紙が切替爪設置部分においてジャムするなどの不具合の発生を防ぐことができる。
【００１３】
【発明の実施の形態】
以下、本発明の好適な実施形態について図面を参照しながら説明する。
【００１４】
図１は本発明の第１実施形態を説明するための画像出力装置の全体構成図であり、１は装置本体、２は、装置本体１内の上部に設置され、原稿の画像を読み取る画像読取部、３は、装置本体１内における画像読取部２の下方に設置され、画像データに基づいて用紙に画像形成を行う画像形成部である。また、４は、装置の各部の動作状態あるいは設定モードなどを表示する表示面、および各種入力キーなどが設けられている操作パネルである。
【００１５】
画像読取部２は、原稿の画像を読み取る読取センサ部５と、読取センサ部５に向けて原稿を搬送する原稿搬送機構６とを備え、さらに装置本体１の上部には原稿を載置する原稿トレイ７が設けられている。この原稿トレイ７は、支点８を中心として二点鎖線にて示す開放位置から実線にて示す原稿ガイド位置まで回動するように支持されている。原稿トレイ７の外側端部には補助トレイ７ａが出し入れ可能に設けられている。
【００１６】
画像形成部３は、公知の感光体１０を中心とした静電式画像形成システムのプロセスカートリッジ１１と、画像信号に基づいて変調されたレーザ光Ｌを感光体１０に対して照射して露光することにより、静電潜像を形成するレーザ光学ユニット１２とを備えている。
【００１７】
また、装置本体１の右側部には、画像読取部２の読取センサ部５から排出される原稿を受けたり、斜めに配設されて用紙Ｓを積載状態で収納するトレイ１５が設けられ、さらにトレイ１５の下端部分には給紙ローラ１６などの給紙搬送手段が設けられている。
【００１８】
用紙Ｓは、給紙ローラ１６から感光体１０の転写部１７へ搬送され、画像転写を受けた後、定着部１８へ送られて画像定着が行われて、後述するように排紙ローラ２３を経て所定方向へ排紙される。
【００１９】
装置本体１の左側部には、開閉カバー１ａが開閉可能に設けられ、また開閉カバー１ａ内部における定着部１８上方と原稿トレイ７間には、用紙ストッカ２０が設けられており、この用紙ストッカ２０の上部は開放されている。
【００２０】
さらに装置本体１の左側部における下部に本例では２系統の排紙路、すなわち、定着部１８から排出された用紙Ｓを装置本体１外へ排紙するストレート排紙路２１と、定着部１８から排出された用紙Ｓを用紙ストッカ２０に導く反転排紙路２２とが設けられている。反転排紙路２２における搬送路下流側には、排紙ローラ２４が設置され、さらに反転排紙路２２の搬送路上流側におけるストレート排紙路２１との共通部分には用紙Ｓの排紙方向を、ストレート排紙路２１あるいは反転排紙路２２のいずれか一方に切り替える切替爪２５が設けられている。
【００２１】
図２は前記切替爪の切替操作を行う作動部材部分の構成図であり、３０は、装置本体１から摘み部３０ａが突出し、かつ支軸３１を支点として回動可能に設けられた操作部材、３２は、操作部材３０に一体に設けられ、支軸３１の中心から同距離の等径面３２ａと、支軸３１の中心から距離が徐々に大きくなる拡径カム面３２ｂとを有する偏心カム、３３は、偏心カム３２の前記各面３２ａ，３２ｂに端部が接し、横方向へ移動可能に設けられたスライド部材、３４は、中央部が軸３５により回動可能に支持され、上部がスライド部材３３の下部に連結し、下部の作動突起部３４ａが後述するように切替爪２５の一部に当接する回動レバーである。切替爪２５には、円弧状のガイド爪部２５ａと、回動軸部２５ｂと、回動レバー３４の作動突起部３４ａに係合する係合突起部２５ｃとが設けられている。
【００２２】
さらに、３６は、スライド部材３３の端部が偏心カム３２の各面３２ａ，３２ｂに接触するように、スライド部材３３を付勢するスライド部材付勢スプリング、３７は、切替爪２５の係合突起部２５ｃが回動レバー３４の作動突起部３４ａに係合するように、切替爪２５を付勢する切替爪付勢スプリングである。また、３８ａ，３８ｂは用紙Ｓの搬送ガイドを行うガイド板である。
【００２３】
図２に示す状態は、用紙Ｓを装置本体１外へ排紙するストレート排紙路２１を用いる場合を示しており、操作部材３０の摘み部３０ａを直立状態にしている。この状態では、偏心カム３２の等径面３２ａに、スライド部材３３の端部がスライド部材付勢スプリング３６の付勢力を受けて接触し、回動レバー３４の作動突起部３４ａは切替爪付勢スプリング３７の付勢力に抗して、切替爪２５の係合突起部２５ｃを左側に位置させており、切替爪２５における円弧状のガイド爪部２５ａが、下側のガイド板３８ｂによる搬送路と略同レベルに位置し、よって、ストレート排紙路２１が形成される。
【００２４】
図３に示す状態は、用紙Ｓを用紙スタッカ２０に導く反転排紙路２２を用いる場合を示しており、操作部材３０の摘み部３０ａを図２に示す直立状態から時計方向へ回動させている。この回動過程において、スライド部材３３の端部が、まず偏心カム３２の等径面３２ａに接触するが、このときにはスライド部材３３は移動せず不動であり、スライド部材３３の端部が拡径カム面３２ｂに達するとスライド部材３３は左方向へスライド部材付勢スプリング３６の付勢力に抗して横動する。この横動によって、回動レバー３４が反時計方向へ回動する。
【００２５】
このため、回動レバー３４の作動突起部３４ａが切替爪２５の係合突起部２５ｃから離れる方向の右側に移動する。すると、切替爪付勢スプリング３７の付勢力によって切替爪２５が時計方向に回動するため、切替爪２５における円弧状のガイド爪部２５ａが、横側のガイド板３８ａと下側のガイド板３８ｂ間の隙間Ｂ部分を閉鎖する位置に移動する。よって、ストレート排紙路２１の開口が閉鎖され、反転排紙路２２が形成されることになる。
【００２６】
このように、第１実施形態では、操作部材３０と切替爪２５間に、操作部材３０の動きに遅れて切替爪２５を動作させるための偏心カム３２，スライド部材３３，回動レバー３４などからなる作動部材を設置し、特に前記のように偏心カム３２の等径面３２ａと拡径カム面３２ｂとの作用によって、操作部材３０の動作と切替爪２５の動作とに時間差を持たせたことにより、万一、操作部材３０が操作ミスによって急な戻し動作などを生じても、切替爪２５は即座に動作しないため、排紙途中の用紙Ｓが切替爪２５設置部分においてジャムするなどの不具合の発生を防ぐことができる。
【００２７】
図４，図５は本発明の第２実施形態を説明するための画像出力装置における要部の構成、およびその動作を説明するための構成図であり、この第２実施形態が第１実施形態と異なる点は、第１実施形態における操作部材３０を設けずに、図１に示すように、装置本体１の上部に設けられて、支点８を中心として二点鎖線にて示す開放位置から実線にて示す原稿ガイド位置まで回動する原稿トレイ７を操作部材３０として利用した構成にある。
【００２８】
原稿トレイ７において、４０は、原稿トレイ７の一端部に一体に設けられ、支軸８の中心から同距離の等径面４０ａと、支軸８の中心から距離が徐々に大きくなる拡径カム面４０ｂとを有する偏心カムである。他の構成部材の説明は、図１〜図３にて説明した部材に対応する部材に同一符号を付して、その詳しい説明を省略する。
【００２９】
図４に示す状態は、用紙Ｓを装置本体１外へ排紙するストレート排紙路２１を用いる場合を示しており、原稿トレイ７を倒して図１に示す用紙スタッカ２０の上方を閉鎖している状態であって、この状態では、偏心カム４０の等径面４０ａに、スライド部材３３の端部がスライド部材付勢スプリング３６の付勢力を受けて接触し、回動レバー３４の作動突起部３４ａが切替爪付勢スプリング回動レバー３４の付勢力に抗して、切替爪２５の係合突起部２５ｃを左側位置させている状態であって、切替爪２５における円弧状のガイド爪部２５ａは、下側のガイド板３８ｂによる搬送路と同レベルに位置し、ストレート排紙路２１が形成される。
【００３０】
図５に示す状態は、用紙Ｓを用紙スタッカ２０に導く反転排紙路２２を用いる場合を示しており、原稿トレイ７を、図４に示す閉鎖状態から回動させてスタッカ２０の上方を開放させている。この回動過程において、スライド部材３３の端部が、まず偏心カム４０の等径面４０ａに接触するが、このときにはスライド部材３３は移動せず不動であり、スライド部材３３の端部が拡径カム面４０ｂに達するとスライド部材３３は左方向へスライド部材付勢スプリング３６の付勢力に抗して横動する。この横動によって、回動レバー３４が反時計方向へ回動する。
【００３１】
このため、回動レバー３４の作動突起部３４ａが切替爪２５の係合突起部２５ｃから離れる方向の右側に移動する。すると、切替爪付勢スプリング３７の付勢力によって切替爪２５が時計方向に回動するため、切替爪２５における円弧状のガイド爪部２５ａが、横側のガイド板３８ａと下側のガイド板３８ｂ間の隙間Ｂ部分を閉鎖する位置に移動し、よって、ストレート排紙路２１の開口を閉鎖して、反転排紙路２２が形成されることになる。
【００３２】
第２実施形態において、原稿トレイ７の操作中のミスによって急な戻し動作などを生じても、第１実施形態と同様に切替爪２５は即座に動作しないため、排紙途中の用紙Ｓが切替爪２５設置部分においてジャムするなどの不具合の発生を防ぐことができる。
【００３３】
ところで、原稿トレイ７を時計方向へ回動させて、立ち上げる操作途中に、装置本体１の上部に設置されている操作パネル４の表示状態を確認するため、あるいは他の理由によって、原稿トレイ７を逆の反時計方向へ戻すように回動させることもある。しかし、この場合に排紙中の用紙があると、切替爪２５部分によって用紙Ｓのジャムが発生するおそれがある。
【００３４】
そこで、本発明の第３実施形態においては、図６の説明図に示す構成によって前記問題を解決している。図６において、図１〜図５にて説明した部材に対応する部材には同一符号を付して詳しい説明は省略する。
【００３５】
第３実施形態における基本的構成は前記第２実施形態の構成と同様なものであって、第２実施形態と異なる点は偏心カム４０の構成である。すなわち、原稿トレイ７の回動時、装置手前にユーザが立った通常の状態において、操作パネル４における表示面を見ることができる範囲Ａに原稿トレイ７があるときには、切替爪２５を変位させず、原稿トレイ７がさらに移動して前記範囲Ａ外に移動したときに切替爪２５を変位させるように、偏心カム４０における等径面４０ａと拡径カム面４０ｂとの形成範囲を設定したものである。
【００３６】
第３実施形態の構成によって、ユーザが操作パネル４の表示面を見るため原稿トレイ７を急に戻しても切替爪２５が回動しないため、前記と同様に、搬送途中の用紙が切替爪２５の設置部分においてジャムするなどの不具合の発生を防ぐことができる。
【００３７】
【発明の効果】
以上説明したように、本発明によれば、搬送路を切り替えるために変位する切替爪を作動させるための原稿トレイあるいは操作部材において、何らかの理由により急な戻し動作などが生じても、切替爪は即座に連動して動作することがないため、従来のように搬送途中の用紙が、切替爪設置部分においてジャムするなどの不具合の発生を抑制することができ、信頼性に優れた排紙構成が実現する。
【図面の簡単な説明】
【図１】本発明の第１実施形態を説明するための画像出力装置の全体構成図
【図２】本発明の第１実施形態における切替爪の切替操作を行う作動部材部分の構成図
【図３】本発明の第１実施形態における反転排紙路を用いた場合の要部を示す構成図
【図４】本発明の第２実施形態を説明するための画像形成装置における構成図（ストレート排紙路使用時）
【図５】本発明の第２実施形態を説明するための画像形成装置における構成図（反転排紙路使用時）
【図６】本発明の第３実施形態を説明するための画像形成装置における構成図
【符号の説明】
２  画像読取部
３  画像形成部
４  操作パネル
７  原稿トレイ
２０  用紙ストッカ
２１  ストレート排紙路
２２  反転排紙路
２５  切替爪
２５ａ  ガイド爪部
２５ｃ  係合突起部
３０  操作部材
３２，４０  偏心カム
３２ａ，４０ａ  等径面
３２ｂ，４０ｂ  拡径カム面
３３  スライド部材
３４  回動レバー
３４ａ  作動突起部
【図１】
0003857832.tif 000002
【図２】
0003857832.tif 000003
【図３】
0003857832.tif 000004
【図４】
0003857832.tif 000005
【図５】
0003857832.tif 000006
【図６】
0003857832.tif 000007